(57)【要約】【課題】ヒートポンプの優れたエネルギー効率を評価し、ヒートポンプシステムであっても高い温度の温水を生成することができ、且つその際にもエネルギー効率の低下をもたらすことのない、温度の異なる温水を複数系統生成するヒートポンプシステムの開発を試みたものである。【解決手段】本発明のヒートポンプシステム１は、温水Ｗを製造するための温水用熱交換器２Ｈが圧縮機１１の吐出側に複数段設けられ、この温水用熱交換器２は、冷媒流れ方向下流側に設けられる低温側温水用熱交換器２Ｌと、その上流側に設けられる高温側温水用熱交換器２Ｈとを具え、それらは、低温側温水管路５Ｌからの低温側温水ＷＬの全部または一部が、高温側温水用熱交換器２Ｈに供給されることにより、相互に直列接続され、且つ少なくとも高温側温水用熱交換機２Ｈは対向流式熱交換器を適用することを特徴として成るものである。【選択図】図１
2011075206.tif 000002
【特許請求の範囲】
【請求項１】
圧縮機、凝縮器、膨張弁、蒸発器が冷媒管路により循環状に連繋する蒸気圧縮式のヒートポンプサイクルを用いて温水を生成するヒートポンプシステムにおいて、
温水を製造するための温水用熱交換器が圧縮機の吐出側に複数段設けられ、この温水用熱交換器は、冷媒流れ方向下流側に設けられる低温側温水用熱交換器と、その上流側に設けられる高温側温水用熱交換器とを具え、前記低温側温水用熱交換器と高温側温水用熱交換器とは、低温側温水管路からの低温側温水の全部または一部が、高温側温水用熱交換器に供給されることにより、相互に直列接続され、且つ少なくとも高温側温水用熱交換機は対向流式熱交換器を適用することを特徴とする温度の異なる温水を複数系統生成するヒートポンプシステム。
【請求項２】
前記低温側温水用熱交換器は、実質的に凝縮器であり、主として潜熱を回収して原水を昇温させ、一方高温側温水用熱交換器は、主として顕熱を回収して低温側温水を更に昇温させるものであることを特徴とする請求項１記載の温度の異なる温水を複数系統生成するヒートポンプシステム。
【請求項３】
前記ヒートポンプサイクルにおいて、蒸発器出口側に冷媒ガス加熱用熱交換器を設けたことを特徴とする請求項１または２記載の温度の異なる温水を複数系統生成するヒートポンプシステム。
【請求項４】
前記ヒートポンプサイクルの冷媒が、アンモニアであり、且つリミットチャージされていることを特徴とする請求項１、２または３記載の温度の異なる温水を複数系統生成するヒートポンプシステム。
【発明の詳細な説明】
【技術分野】
【０００１】
本発明は、ヒートポンプシステムに関するものであって、特にヒートポンプによって温水を取り出すにあたり、温度の異なる温水を複数系統取り出すことができるようにしたヒートポンプシステムに係るものである。
【背景技術】
【０００２】
ヒートポンプ式温水製造装置は、家庭で常用することが多い数１０℃程度の温水を高効率（省エネルギー）で得ることができる点で普及を見ている。このものの従来システムは、図５に系統図を示すように、冷媒管路１１０が圧縮機１１１、凝縮器１１２、膨張弁１１３、蒸発器１１４の順に循環状に連繋され、ここを通る冷媒が凝縮器１１２において潜熱と、顕熱とにより、凝縮器１１２の伝熱壁を隔てて流れる原水ＷＦを加熱し、温水Ｗを得るものである。この系統図から明らかなように従来システムでは、単一の温度の温水Ｗしか得られず、しかもその温度は、凝縮器１１２における凝縮温度まで達することはできず、充分高温の温水が得られない。もちろん炭酸ガス冷媒を用いたヒートポンプの場合、超臨界圧縮の特性を生かして、比較的高温の温水を得ることができるが、効率が良くない。加えて温水温度を高くするためには、高圧の圧力を更に高くする必要があるが、このためには圧縮機１１１の運転状態を高めなくてはならず、その結果ヒートポンプの成績係数が低下し、装置全体の効率が悪化するという問題があった。
【０００３】
また一方で温水の需要側からみると、必要とされる温度帯は種々であり、必要な場合のみ高温水が求められる場合もあった。このような需要に対しては、直加熱のボイラー等で高温水を生成し、これを取り出して高温水の供給を受けるほか、数１０℃レベルの温湯水を得るには常温水で希釈して供給を受けるような形態を採っている。
具体的な例としては、例えばいわゆる大規模公衆浴場等の場合、人体に有害なレジオネラ菌等の発生を抑えるため、タンク等に貯留状態の温湯は６０℃を維持するように求められているケースがあり、これを希釈して適温で浴槽に供給するような形態がある。
【０００４】
このように高温水が要求される施設等には、極端な効率低下もないこともあってボイラーが具えられていることが当然とされていた。一方でヒートポンプシステムによる給湯については、省エネルギー効果が高いとはいえ、このような高温を得ようとする場合には、高い凝縮温度が必要であり、先に述べたようにシステム全体の効率が悪くなることから不向きなものとされ、その適用については殆ど顧みられていなかった。
【０００５】
因みに、単一のヒートポンプシステムから異なった温水を得るという着眼については、特開２００７−１７０２４号「ヒートポンプ式給湯器」（特許文献１）に開示されている。しかしながら、このものは、負荷が大きい高温温水を生成するのに電気料金の安い深夜電力を利用するというものであり、電力供給にあっての政策的措置ないしは営業措置という、いわば人為的な取り決めを背景とした工夫・着想にとどまり、純粋な技術的解決手段を提示していない。
【先行技術文献】
【特許文献】
【０００６】
【特許文献１】特開２００７−１７０２４号公報
【発明の概要】
【発明が解決しようとする課題】
【０００７】
本発明は、このような背景を考慮してなされたものであって、ヒートポンプの優れたエネルギー効率を評価し、ヒートポンプシステムであっても高い温度の温水を生成することができ、且つその際にもエネルギー効率の低下をもたらすことのない、温度の異なる温水を複数系統生成するヒートポンプシステムの開発を試みたものである。
【課題を解決するための手段】
【０００８】
請求項１記載の温度の異なる温水を複数系統生成するヒートポンプシステムは、圧縮機、凝縮器、膨張弁、蒸発器が冷媒管路により循環状に連繋する蒸気圧縮式のヒートポンプサイクルを用いて温水を生成するヒートポンプシステムにおいて、温水を製造するための温水用熱交換器が圧縮機の吐出側に複数段設けられ、この温水用熱交換器は、冷媒流れ方向下流側に設けられる低温側温水用熱交換器と、その上流側に設けられる高温側温水用熱交換器とを具え、前記低温側温水用熱交換器と高温側温水用熱交換器とは、低温側温水管路からの低温側温水の全部または一部が、高温側温水用熱交換器に供給されることにより、相互に直列接続され、且つ少なくとも高温側温水用熱交換機は対向流式熱交換器を適用することを特徴として成るものである。
【０００９】
請求項２記載の温度の異なる温水を複数系統生成するヒートポンプシステムは、前記請求項１記載の要件に加え、前記低温側温水用熱交換器は、実質的に凝縮器であり、主として潜熱を回収して原水を昇温させ、一方高温側温水用熱交換器は、主として顕熱を回収して低温側温水を更に昇温させるものであることを特徴として成るものである。
【００１０】
請求項３記載の温度の異なる温水を複数系統生成するヒートポンプシステムは、前記請求項１または２記載の要件に加え、前記ヒートポンプサイクルにおいて、蒸発器出口側に冷媒ガス加熱用熱交換器を設けたことを特徴として成るものである。
【００１１】
請求項４記載の温度の異なる温水を複数系統生成するヒートポンプシステムは、前記請求項１、２または３記載の要件に加え、前記ヒートポンプサイクルの冷媒が、アンモニアであり、且つリミットチャージされていることを特徴として成るものである。
【発明の効果】
【００１２】
まず請求項１記載の発明によれば、ヒートポンプサイクルにおける圧縮機吐出側の冷媒管路中に複数段にわたって温水用熱交換器を配設したものであり、それぞれ熱交換される作用温度の相違により、温度の異なる温水を複数系統取り出すことができる。加えて、低温側温水用熱交換器で生成された低温側温水を高温側温水用熱交換器に供給するとともに、少なくとも高温側温水用熱交換機は対向流式の熱交換器により熱交換を行うものであり、高温側温水用熱交換器における温水温度の上昇効果高め、結果的に更に高い温度の温水が生成できる。
【００１３】
また請求項２記載の発明によれば、低温側温水用熱交換器は、実質的に凝縮器であり、主として潜熱交換により原水を昇温させ、一方高温側温水用熱交換器は、主として顕熱回収により低温側温水を昇温させるものであり、圧縮機吐出高温冷媒ガスの顕熱を有効に利用できる。
【００１４】
また請求項３記載の発明によれば、蒸発器出口側に更に冷媒ガス加熱用熱交換器を設けており、圧縮機に供給される冷媒ガス温度を高めていることから、圧縮機の負荷を軽減し、同じ圧縮比でもエネルギー消費量を殆んど増加させることなく、より高い温度の温水を得ることが可能である。
【００１５】
また請求項４記載の発明によれば、ヒートポンプサイクルの冷媒は、アンモニア冷媒であり、比熱比が大きく同じ圧縮比でも高い温度の吐出ガスを得ることができる。加えてアンモニアは弱毒性であるが、リミットチャージされていることから、これを使用しても周囲に致命的な損害を与えず、より高い温度の温水を効率よく得ることができる。
【図面の簡単な説明】
【００１６】
【図１】本発明の基本的な実施例１を示した系統図である。
【図２】本発明の第二の実施例を示す系統図である。
【図３】本発明の第三の実施利を示す系統図である。
【図４】冷媒ガス加熱用熱交換器を適用したことによるエネルギー効率を示すモリエル線図である。
【図５】従来のヒートポンプサイクルを利用した温水供給システムを示す系統図である。
【発明を実施するための形態】
【００１７】
本発明を実施するための形態は、以下述べる実施例をその一つとするとともに、この技術思想に基づく種々の改良した実施例も含むものである。以下、本発明を図示の実施例に基づいて具体的に説明する。
【実施例１】
【００１８】
＜基本的な実施例＞
まず基本的な第一の実施例を図１に示す。
図１において、符号１は、蒸気圧縮式のヒートポンプサイクルであって、このものは常法に従い、冷媒管路１０が、圧縮機１１、凝縮器１２、膨張弁１３、蒸発器１４から圧縮機１１へ戻る循環管路を形成し、各機器を連繋させている。
【００１９】
このものに対し、温水用熱交換器２が設けられるものであり、圧縮機１１の後段に冷媒の流れ方向上方から順に高温側温水用熱交換器２Ｈ、低温側温水用熱交換器２Ｌが設けられている。それぞれ温水用熱交換器２は、種々のタイプのものが適用できるが、少なくとも高温側温水用熱交換機２Ｈは、対向流式熱交換器を適用する。
また低温側温水用熱交換器２Ｌは、請求項２に定義したように実質的には凝縮器１２とすることができ、より合理的な装置構成が可能である。
【００２０】
そして更に温水生成に関連する各部材について述べると、低温側温水用熱交換器２Ｌに対しては、温水を供給するポンプ６のうち原水ポンプ６Ｆから例えば地下水、市水等の供給を受けるものであり、その供給を受ける管路を原水管路５Ｆとして示す。
また低温側温水用熱交換器２Ｌの温水の出口側には、低温側温水管路５Ｌを接続するものであり、このものは、温水タンク４のうち低温側温水タンク４Ｌに至る。ここに供給される温水Ｗを低温側温水ＷＬとして矢印で示す。
【００２１】
また、低温側温水管路５Ｌは、途中から分岐して中継温水管路５Ｒとなって、高温側温水用熱交換器２Ｈに温水Ｗを供給する。なおこのような管路は、高温側温水用熱交換器２Ｈに昇温された温水Ｗを供給すること意味するものであり、この状態を低温側温水用熱交換器２Ｌと高温側温水用熱交換器２Ｈとが相互に直列接続されている状態と定義する。従って低温側温水用熱交換器２Ｌで昇温された低温側温水ＷＬは、その全てが高温側温水用熱交換器２Ｈに供給されなくとも、その一部が供給される限り、直列接続と解される。また低温側温水ＷＬが、一旦低温側温水タンク４Ｌに貯留され、その後その一部または全部が高温側温水用熱交換器２Ｈに供給された場合も直列接続と解される。
そして高温側温水用熱交換器２Ｈの出口側には、高温側温水管路５Ｈが接続され、このものが高温側温水タンク４Ｈに至るものである。
【００２２】
これらの温水管路５において、温水の温度を設定するために温度調節器７、流量調整コック８、インバータ９が適用される。
即ち、まず低温側温水用熱交換器２Ｌにおける昇温状態の設定は、低温側温水管路５Ｌの出口側に低温側温度調節器７Ｌを設け、その出力により原水ポンプ６Ｆの運転状態を設定する原水用インバータ９Ｆを作動させ、適宜の流量で低温側温水用熱交換器２Ｌに原水ＷＦを供給する。
また高温側温水管路５Ｈにおいては、その出口付近に流量調整コック８を設けるとともに、このものは、高温側温度調節器７Ｈの出力により開度が調節され、結果的に高温側温水タンク４Ｈに貯留される高温側温水ＷＨの温度を設定している。
【００２３】
更にヒートポンプサイクル１においても、このような複数の温度帯の温水Ｗを得ることに関連して更なる工夫がなされている。
即ち、図１において、蒸発器１４の後段に冷媒ガス加熱用熱交換器３を設ける。このものは、適宜の温水等を通過させる対向流式熱交換器を適用することが好ましい。これにより蒸発器１４から蒸発した冷媒ガスを更に昇温した状態で圧縮機１１に供給する。その結果、圧縮機１１の作動負荷が殆んど増加しないにも拘らず、吐出冷媒ガスの温度をより高くする運転が可能となるのである。もちろん、この冷媒ガス加熱用熱交換器３は設けなくとも、一般のヒートポンプサイクル１により作動が可能であるが、前述のとおり効率の良いシステム稼動のために冷媒ガス加熱用熱交換器３を設けることが好ましい。この技術的事項については、請求項３において特定したものである。
【００２４】
次にこの基本的な実施例における温水の生成状態について述べる。ヒートポンプサイクル１を起動させることにより、冷媒ガスは、まず圧縮機１１において圧縮されて、充分高圧高温の状態となり、高温側温水用熱交換器２Ｈにおいて高温の吐出冷媒ガスの顕熱を回収して、高温側温水ＷＨを得る。そして、その後段の実質的には、凝縮器１２となる低温側温水用熱交換器２Ｌにおいて更に別途原水ＷＦの供給を受けて、このものを高圧の冷媒と熱交換することにより、冷媒が冷却されて液化状態となるとともに、一方で原水ＷＦは、例えば４０℃程度に昇温される。そして冷媒は、一般のヒートポンプサイクル１の作動に従い膨張弁１３を通り、蒸発器１４に至り、そこで蒸発し、更に冷媒ガス加熱用熱交換器３により更に昇温されて圧縮機１１に戻るサイクルを繰り返すのである。
【００２５】
このときの状態を、昇温される温水Ｗの流れに沿った状態で説明すると、例えば１０数℃から２０数℃の原水ＷＦは、低温側温水用熱交換器２Ｌにおいて、主として潜熱を回収して昇温する。
ここで冷媒については、リミットチャージされたアンモニアであるとして想定すると、その凝縮温度は、約４５℃であり、従って低温側温水ＷＬは、その凝縮温度より少し低い例えば４３℃程度に昇温される。
なおここでの温水Ｗと冷媒との流れ方向については、その流れ方向を対向させた対向流式とすることが好ましいものの、この低温側温水用熱交換器２Ｌは、一部顕熱利用がされる場合があるにせよ、主として潜熱利用のほぼ一定した４５℃の加温であるから、必ずしも対向流式の熱交換器とする必要はない。
【００２６】
このようにして低温側温水用熱交換器２Ｌにより生成された低温側温水ＷＬは、低温側温水タンク４Ｌに貯留されるとともに、その一部は中継温水管路５Ｒを通り高温側温水用熱交換器２Ｈに至り、そこで加熱されて高温側温水管路５Ｈから高温側温水タンク４Ｈに至り貯留されるものである。
具体的には、低温側温水ＷＬは、例えば全体の１０％から３０％程度の量が高温側温水用熱交換器２Ｈに至る。この高温側温水用熱交換器２Ｈは、ヒートポンプサイクル１における圧縮機１１後段の冷媒の気相範囲であることから、一部潜熱利用がされる場合があるかも知れないが、主として顕熱熱交換により、低温側温水ＷＬが更に加熱される。このとき本発明の特徴として、対向流式熱交換器による熱交換を行うものであり、約４３℃で供給された低温側温水ＷＬは、冷媒管路１０の下流側の凝縮温度に近い範囲で加熱を開始し、冷媒流れ方向上流に向かうに従い上昇する冷媒管路１０の表面の熱を吸収し昇温を続ける。結果的には圧縮機１１によるガス吐出温度が１１０℃程度の場合、それよりもやや低い９０℃の、高温側温水ＷＨが得られるようにする。
なお、先に述べたような流量調整コック８、或いは原水ポンプ６Ｆの作用により流量が調整され、温水Ｗ、原水ＷＦの流量が設定されて、結果的に温水用熱交換器２の接触時間が調節されて、適宜所望の温度の温水Ｗが得られる。
【実施例２】
【００２７】
次に図２に示す第二の実施例について説明する。
このものは、ヒートポンプサイクル１における工夫であり、温水用熱交換器２が複数段設けられることに対応したヒートポンプサイクル１の負荷を考慮したものである。
具体的には、一般に多く見られる蒸発器１４が対向流式空気冷却器を採用した場合、室外温度が下がったときには、蒸発器１４として充分な蒸発温度が得られない状態となるが、このような場合に特に有効な構成である。即ち、膨張弁１３としてキャピラリーチューブを適用し、更に蒸発器１４については、外気による冷却が行われるような場合があるが、このような場合には、冷媒ガスが充分蒸発しきれない状態が生ずることもある。このような状態となると、圧縮機１１等に完全な気化状態で冷媒が供給されない事故が生ずることが予想されるので、更にこのときに対向流式液ガス交換器を適用した冷媒ガス加熱用熱交換器３を設けたものである。なおこの手法については、基本的な実施例１で説明したとおりである。このとき、蒸発器１４の作動状態を確実にするため、冷媒ガス加熱用熱交換器３の前段と後段にわたって蒸発器出口温度調節器７Ｅ、低圧ガス出口温度調節器７３とを設け、それらの出力状態に応じて、蒸発器用インバータ９Ｅを作動させ、蒸発器１４のファン１４Ｆの回転数を制御するものである。なおこの図２中に符号１５で示すものは、アキュムレータである。
【００２８】
更にこのとき用いる冷媒としては、同じ運転条件であれば比熱比が大きく、圧縮機１１からの高温の吐出温度が得られるアンモニアが好ましい。
しかし、一方でアンモニアは毒性があるから、例えば家庭用機器等に応用したときの安全性を考慮すると、人体への影響を回避できるようにリミットチャージされたアンモニアであることが更に好ましい。この技術事項については、請求項４において定義するものである。
なおこの実施例では、圧縮機１１から吐出されたアンモニアは、それぞれ高温側温水用熱交換器２Ｈ及び低温側温水用熱交換器２Ｌ（凝縮器１２）を通って、冷却され液化した状態で、キャピラリー式の膨張弁１３を通り、対抗流式空気冷却機を適用した蒸発器１４において蒸発した後、加熱されて過熱冷媒ガスとなりアキュムレータ１５を通って、圧縮機１１に吸入される。
このとき、アンモニアがリミットチャージされているので、周辺空気の温度が低く、蒸発能力が少なくて冷媒ガスの過熱度が充分取れない場合であっても、圧縮機１１への液バックを防ぎながら、圧縮比が高くなることによる吐出ガスの異常温度上昇を防ぐとともに、空気の温度が高いときに効率の良い運転を自律的に行うことができる。
【００２９】
なおこのときの冷媒ガス加熱用熱交換器３を設けたことによる高効率な運転について図４に示すモリエル線図で述べると、膨張行程終段において更に過熱度をＨの範囲で設定すると、圧縮サイクルで得られる顕熱のエンタルピー範囲がその分大きく取れ、一方必要とするヒートポンプ動力は、冷媒ガスを加熱しない場合のヒートポンプ動力Ｌ１とほぼ変わらないヒートポンプ動力Ｌ２を加えるだけで、エンタルピーが増大し、結果的に効率よく高温水を得ることが理解できる。
【実施例３】
【００３０】
温水生成系統において改良した第三の実施例が図３示すものである。基本的な作動態様は、前述した基本的な実施例において示したとおりであり、その共通する構成については、その説明を省略する。
この第三の実施例の特徴とするところは、例えば、目的とする温水タンクを設け、先に述べた低温側温水ＷＬ、高温側温水ＷＨだけではなく、更にこれから合理的に目的とする温水を取り出すことについて工夫がされたものである。
【００３１】
まず温水タンク４として目的側温水タンク４Ｐが設けられている。このものは、実質的には例えば風呂用浴槽あったり、洗面所の給湯の貯留タンクであってもよい。まず低温側温水用熱交換器２Ｌからの低温側温水管路５Ｌは、低温側温水タンク４Ｌに至り、ここに低温側温水ＷＬを貯留する。そしてこの貯留された低温側温水ＷＬは、低温側ポンプ６Ｌにより汲み出され、このものが高温側温水用熱交換器２Ｈに中継温水管路５Ｒを経て供給される。このとき途中に目的側温水用熱交換器２Ｐが設けられ、ここにおいて熱交換が行われ、低温側温水ＷＬが昇温される。一方、高温側温水用熱交換器２Ｈの出口側の高温側温水管路５Ｈは、高温側温水タンク４Ｈに高温側温水ＷＨを貯留する。この高温側温水ＷＨは、高温側ポンプ６Ｈにより汲み出され、目的側温水管路５Ｐに吐出される。この目的側温水管路５Ｐが、その途中において、前記目的側温水用熱交換器２Ｐを通過し、低温側温水ＷＬと高温側温水管路５Ｈを通る高温側温水ＷＨとの間で熱交換が行われる。
【００３２】
つまりこのような回路設定により、まず高温側温水用熱交換器２Ｈに投入される温水Ｗは、低温側温水ＷＬと高温側温水ＷＨとの中間の温度帯に設定され、一方目的側温水タンク４Ｐに供給される温水Ｗは、高温側温水ＷＨを冷ました状態の温度で供給されるのである。なおこれらポンプ６は、詳細は、図示や説明を省略するが、基本的な実施例１で述べた温度調節器７により適宜運転状態が設定され、希望の温度が得られるようにするものである。
【００３３】
ここでこの第三の実施例について、温水Ｗに関し具体的にその温度状態について述べる。例えば地下水等を原水ＷＦとした場合には、原水ＷＦは、１８℃程度で低温側温水用熱交換器２Ｌに供給される。ここでの低温側温水ＷＬは、約４０℃に昇温されて供給される。そしてこの低温側温水ＷＬは、目的側温水用熱交換器２Ｐにおいて更に熱交換を受け、例えば５８℃程度に昇温されて、高温側温水用熱交換器２Ｈに供給される。次いでこの高温側温水用熱交換器２Ｈにおけるヒートポンプサイクル１における冷媒との熱交換により、温水Ｗは、例えば６１℃の高温側温水ＷＨとなる。そしてこのものは、目的側温水用熱交換器２Ｐにおいて、低温側温水ＷＬとの間で熱交換し、結果的に例えば４２℃程度に冷却された状態で目的側温水タンク４Ｐに投入される。
なお、本発明により、温度の異なる複数系統の温水Ｗが生成された後は、これらを各々単独で用いたり、両者の間で熱交換をして更に他の目的とする温度とした温水Ｗを得るなど種々の利用形態がとり得る。
従って、本発明の本質は、ヒートポンプサイクル１との熱交換により複数系統の温水Ｗを生成することであり、最終的な利用形態においては単一の温度帯の温水Ｗとなる場合があるし、生成した複数の温度帯に加えて更に多くの温度帯の温水Ｗが利用されることがあり得る。また、以上述べた実施例では、いずれも理解し易いように高温側温水用熱交換器２Ｈと低温側温水用熱交換器２Ｌとは、別体のものとして骨格的に図示しているが、形態上一体に見える熱交換器ユニットを用い、その途中において低温側温水ＷＬを取り出す管路と、これを際に高温側に導き入れる管路を形成するようなタイプであってももとより差し支えない。また、高温側温水用熱交換器２Ｈと、低温側温水用熱交換器２Ｌとの間に更に中間の温水を生成し得る中間温水用熱交換器が設けられてもよい。
【産業上の利用可能性】
【００３４】
本発明は、以上述べたように複数系統の温水を得ることができることから、実施例中において述べたような、公衆浴場のほか、給湯設備、温冷水冷暖房の水源、野菜、花卉栽培用施設の灌水設備等に利用できる。
【符号の説明】
【００３５】
１      ヒートポンプサイクル
２      温水用熱交換器
３      冷媒ガス加熱用熱交換器
４      温水タンク
５      温水管路
６      ポンプ
７      温度調節器
８      流量調整コック
９      インバータ
１０    冷媒管路
１１    圧縮機
１２    凝縮器
１３    膨張弁
１４    蒸発器
１４Ｆ  ファン
１５    アキュムレータ
２      温水用熱交換器
２Ｈ    高温側温水用熱交換器
２Ｌ    低温側温水用熱交換器
２Ｐ    目的側温水用熱交換器
３      冷媒ガス加熱用熱交換器
４      温水タンク
４Ｈ    高温側温水タンク
４Ｌ    低温側温水タンク
４Ｐ    目的側温水タンク
５      温水管路
５Ｆ    原水管路
５Ｈ    高温側温水管路
５Ｌ    低温側温水管路
５Ｒ    中継温水管路
５Ｐ    目的側温水管路
６      ポンプ
６Ｆ    原水ポンプ
６Ｈ    高温側ポンプ
６Ｌ    低温側ポンプ
７      温度調節器
７Ｈ    高温側温度調節器
７Ｌ    低温側温度調節器
７Ｅ    蒸発器出口
７３    低圧ガス出口温度調節器
８      流量調整コック
９      インバータ
９Ｆ    原水用インバータ
９Ｅ    蒸発器用インバータ
Ｌ１    ヒートポンプ動力
Ｌ２    ヒートポンプ動力
Ｗ      温水
ＷＦ    原水
ＷＬ    低温側温水
ＷＨ    高温側温水
ＷＰ    目的側温水
【図１】
2011075206.tif 000003
【図２】
2011075206.tif 000004
【図３】
2011075206.tif 000005
【図４】
2011075206.tif 000006
【図５】
2011075206.tif 000007